(57)【特許請求の範囲】
【請求項１】
入口孔及び出口孔を有する通路を内部に形成したフレームと、回動により通路を開閉するようにフレーム内に回転自在に配されていると共に軸方向端にシール曲面を有した羽根手段と、この羽根手段のシール曲面が当接するシール曲面を有していると共にフレームの側壁部に固着された弾性のシール部材とを具備しており、羽根手段は、軸部及びこの軸部から径方向に伸びた一対の羽根部を有した羽根本体部と、この羽根本体部の軸方向端に設けられた側端部とを具備しており、側端部は、軸部の軸方向端に配された中央部と、各羽根部の軸方向端に配されていると共に、中央部から一体的に径方向に伸びた一対の羽根側端部と、中央部及び一方の羽根側端部に一体的に形成された膨大部と、中央部の軸方向端に配された側端補助部とを具備しており、羽根手段のシール曲面は、膨大部及び側端補助部の外縁に設けられていると共に羽根手段の開放回転方向において徐々に羽根手段の回転軸心からの距離が長くなるように形成されており、シール部材のシール曲面は、羽根手段のシール曲面と相補的な形状を有しており、シール部材は、当該シール部材に対する羽根手段の回転軸心を中心とした回転を許容するように、他方の羽根側端部が通る切欠きを具備している換気ダンパ。
【請求項２】
羽根手段のシール曲面の各部位の羽根手段の回転軸心からの距離は、シール部材の対応位置でのシール曲面の羽根手段の回転軸心からの距離よりも長い請求項１に記載の換気ダンパ。
【請求項３】
羽根手段のシール曲面は、通路に対する閉鎖回転位置から部分開放回転位置までの羽根手段の回転領域では、シール部材のシール曲面に当接し、通路に対する部分開放回転位置から全開放回転位置までの羽根手段の回転領域では、シール部材のシール曲面から非接触となるようになっている請求項１又は２に記載の換気ダンパ。
【請求項４】
羽根手段のシール曲面は、通路に対する閉鎖回転位置から部分開放回転位置までの羽根手段の回転領域では、シール部材に弾性変形を生じさせるようになっている請求項１から３のいずれか一項に記載の換気ダンパ。
【請求項５】
羽根手段は、通路開放位置に向かって回動されるように常時付勢されていると共に、通路を通過する空気流により通路閉塞位置に向かう回転モーメントを生じるようになっている請求項１から４のいずれか一項に記載の換気ダンパ。
【請求項６】
羽根手段を強制的に回動させる回動手段を更に具備しており、回動手段は、回動力発生手段と、この回動力発生手段により発生された回動力を羽根手段に伝達する伝達手段とを具備しており、伝達手段は、羽根手段が通路開放位置に回動された際に、通路閉塞位置に向かう羽根手段の自由回動を許容するようになっている請求項１から５のいずれか一項に記載の換気ダンパ。
【請求項７】
羽根手段が通路開放位置に向かって回動されるように羽根手段を付勢する付勢手段を更に具備している請求項１から６のいずれか一項に記載の換気ダンパ。
【発明の詳細な説明】
【０００１】
【発明の属する技術分野】
本発明は、事業用ビル、事務所ビル、集合住宅、戸建住宅、倉庫等の室内と室外との通気のために、これらの壁等に取り付けて通気の程度を制御する換気ダンパに関する。
【０００２】
【発明が解決しようとする課題】
通常、この種の換気ダンパでは、通路を規定するフレーム内に羽根が回動自在に配され、羽根の回動により通路の開度を決定して、通路を介する通気の程度を制御するようにしている。
【０００３】
ところで換気ダンパでは、羽根による通路閉塞は、空気洩れが生じないように完全に行われることが好ましいのであるが、通路を規定するフレームの側壁部と羽根の軸方向の側端面との間には、羽根の回動を確保するために、通常、若干の隙間が設けられる結果、この隙間により羽根による完全な通路閉塞が困難となる場合がある。
【０００４】
通路閉塞を完全に行うために側壁部と羽根の側端面との間の隙間を零にすると、羽根若しくはフレームの熱膨張又はそれらの少しの変形、変位で、側壁部と羽根の側端面とが必要以上にぴったりと接触することにより、羽根の回動を軽く行わせることができなくなり、場合により、羽根が全く回動できなくなったり、回動できても大きな不快な摩擦音、すなわち騒音等が生じたりする虞がある上に、羽根の回動のためのエネルギを多く必要とする。
【０００５】
更に斯かる換気ダンパでは、屋外で吹く強風等が室内に吹き込まないように、風の強弱に応答してかつ当該風の力を利用して羽根を回動させて通路を開閉させることが好ましいのであるが、側壁部と羽根の側端面とがぴったりと接触していると、強風でも羽根を回動させることが困難となる一方、そこに隙間を設けると、風に対する羽根の回動の応答性はよくなるのであるが、強風が隙間から流れ込んでしまう虞がある。特に、高層のビル等にこの種の換気ダンパを設置する場合には、少しの隙間も強風の吹き込みに加えて異音発生の原因となる虞がある。
【０００６】
本発明は、前記諸点に鑑みてなされたものであって、その目的とするところは、通路閉塞を完全に行うことができ、しかも、羽根回動を軽く行わせることができて、騒音等が生じたりする虞をなくし得ると共に、羽根回動において省エネルギ化を図ることができる換気ダンパを提供することにある。
【０００７】
【課題を解決するための手段】
本発明の第一の態様の換気ダンパは、入口孔及び出口孔を有する通路を内部に形成したフレームと、回動により通路を開閉するようにフレーム内に回転自在に配されていると共に軸方向端にシール曲面を有した羽根手段と、この羽根手段のシール曲面が当接するシール曲面を有していると共にフレームの側壁部に固着された弾性のシール部材とを具備しており、ここで、羽根手段のシール曲面は、羽根手段の開放回転方向において徐々に羽根手段の回転軸心からの距離が長くなるように形成されており、シール部材のシール曲面は、羽根手段のシール曲面と相補的な形状を有している。
【０００８】
第一の態様の換気ダンパでは、羽根手段の側端部に形成されたシール曲面が羽根手段の開放回転方向において徐々に羽根手段の回転軸心からの距離が長くなるように形成されて、シール部材のシール曲面が側端部に形成されたシール曲面と相補的な形状を有しているために、羽根手段の通路の閉鎖方向への回転では、羽根手段の側端部に形成されたシール曲面がシール部材のシール曲面に徐々に接近して最後には当接する結果、この当接により羽根手段の側端部での通路閉塞を完全に行うことができる上に、当接前には羽根手段の回動を極めて軽く行わせることができ、而して、騒音等の発生を極力少なくでき、しかも、羽根手段の回動において省エネルギ化を図ることができる。
【０００９】
本発明の第二の態様の換気ダンパでは、第一の態様の換気ダンパにおいて、羽根手段のシール曲面の各部位の羽根手段の回転軸心からの距離は、シール部材の対応位置でのシール曲面の羽根手段の回転軸心からの距離よりも長い。
【００１０】
第二の態様の換気ダンパによれば、羽根手段の通路の閉鎖方向への回転の最後で、羽根手段の側端部に形成されたシール曲面をシール部材のシール曲面に押し付けることができるために、この押し付けにより羽根手段の側端部での通路閉塞をより完全に行うことができる。
【００１１】
本発明の第三の態様の換気ダンパでは、第一又は第二の態様の換気ダンパにおいて、羽根手段のシール曲面は、通路に対する閉鎖回転位置から部分開放回転位置までの羽根手段の回転領域では、シール部材のシール曲面に当接し、通路に対する部分開放回転位置から全開放回転位置までの羽根手段の回転領域では、シール部材のシール曲面から非接触となるようになっている。
【００１２】
第三の態様の換気ダンパによれば、部分開放回転位置から全開放回転位置までの羽根手段の回転領域で羽根手段のシール曲面とシール部材のシール曲面とを互いに非接触としているために、省エネルギ化を図ることができる上に、例えば羽根手段が全開放回転位置にもたらされる際に当該羽根手段が通路閉塞位置に向かう方向に自由回動自在となっていると、この回転領域を定風量回転領域とでき、しかも、閉鎖回転位置から部分開放回転位置までの羽根手段の回転領域で羽根手段のシール曲面とシール部材のシール曲面とを互いに当接させるために、通路閉塞を完全に行うことができる。
【００１３】
本発明の第四の態様の換気ダンパでは、第一から第三のいずれかの態様の換気ダンパにおいて、羽根手段のシール曲面は、通路に対する閉鎖回転位置から部分開放回転位置までの羽根手段の回転領域では、シール部材に弾性変形を生じさせるようになっている。
【００１４】
第四の態様の換気ダンパによれば、閉鎖回転位置から部分開放回転位置までにおいてシール部材に弾性変形を生じさせるために、通路閉塞をより完全に行うことができる。
【００１５】
本発明の第五の態様の換気ダンパでは、第一から第四のいずれかの態様の換気ダンパにおいて、羽根手段は、軸部及びこの軸部から径方向に伸びた一対の羽根部を有した羽根本体部と、この羽根本体部の軸方向端に設けられた側端部とを具備しており、側端部は、軸部の軸方向端に配された中央部と、各羽根部の軸方向端に配されていると共に、中央部から一体的に径方向に伸びた一対の羽根側端部と、中央部及び一方の羽根側端部に一体的に形成された膨大部と、中央部の軸方向端に配された側端補助部とを具備しており、羽根手段のシール曲面は、膨大部及び側端補助部の外縁に設けられており、シール部材は、当該シール部材に対する羽根手段の回転軸心を中心とした回転を許容するように、他方の羽根側端部が通って伸長する切欠きを具備している。
【００１６】
第五の態様の換気ダンパによれば、羽根手段のシール曲面が側端補助部の外縁にも設けられているために、他方の羽根側端部が通って伸長する切欠きの部位においても、羽根手段のシール曲面とシール部材のシール曲面とを互いに当接させることができるために、通路閉塞において一方の羽根側端部の周りにおける隙間をなくし得、より完全な通路閉塞を達成できる。
【００１７】
本発明の第六の態様の換気ダンパでは、第一から第五のいずれかの態様の換気ダンパにおいて、羽根手段は、通路開放位置に向かって回動されるように常時付勢されていると共に、通路を通過する空気流により通路閉塞位置に向かう回転モーメントを生じるようになっている。
【００１８】
第六の態様の換気ダンパによれば、通路を通過する空気流により通路閉塞位置に向かう回転モーメントを羽根手段に生じさせるようになっているために、例えば羽根手段が通路開放位置にもたらされる際に当該羽根手段が通路閉塞位置に向かう方向に自由回動自在となっていると、通路風速に基づく定風量制御を行い得、したがって、室内外に大きな気圧差が生じて通路に一定以上の流速の空気流、例えば３ｍ／ｓｅｃ以上の空気流が生じる際に、この空気流を利用して自然に通路閉塞を行い得、而して、強風等により通路を介して室内に対して必要以上に空気が導出入されて、室内に不快な空気流が生じることをなくし得ると共に、室外の塵埃を室内に持ち込むようなことをなくすことができ、しかも、室内の空気が必要以上に換気されて空調効果が低下するような不都合をなくし得て、これを補うための空調電力の増大を防ぐことができる。
【００１９】
本発明の第七の態様の換気ダンパは、第一から第六のいずれかの態様の換気ダンパにおいて、羽根手段を強制的に回動させる回動手段を更に具備しており、ここで、回動手段は、回動力発生手段と、この回動力発生手段により発生された回動力を羽根手段に伝達する伝達手段とを具備しており、伝達手段は、羽根手段が通路開放位置に回動された際に、通路閉塞位置に向かう羽根手段の自由回動を許容するようになっている。
【００２０】
第七の態様の換気ダンパによれば、回動手段により羽根手段を強制的に回動できる上に、羽根手段が通路開放位置に回動された際に、通路閉塞位置に向かう羽根手段の自由回動を許容するようになっているために、通路の強制開閉を行い得る上に、通路風速に基づく定風量制御をも行い得る。
【００２１】
なお、第七の態様の換気ダンパでは、伝達手段は、羽根手段が通路開放位置に回動された際に、通路閉塞位置に向かう羽根手段の自由回動を許容するようになっているが、これに代えて、回動力発生手段により発生された回動力でもってのみ羽根手段が回転されるようにして、羽根手段が自由回動できないように構成してもよい。
【００２２】
本発明の第八の態様の換気ダンパは、第一から第七のいずれかの態様の換気ダンパにおいて、羽根手段が通路開放位置に向かって回動されるように羽根手段を付勢する付勢手段を更に具備している。
【００２３】
第八の態様の換気ダンパによれば、通路開放位置に向かう羽根手段の回動付勢を付勢手段により行うために、例えば羽根手段が通路開放位置にもたらされる際に当該羽根手段が通路閉塞位置に向かう方向に自由回動自在となっていると、付勢手段の付勢力を適宜設定することにより、空気流を利用する自然な通路閉塞、即ち定風量制御を確実に行うことができる。
【００２４】
ここで、付勢手段としては、羽根手段の重心を回転軸心から変位させるように、羽根手段の適宜な部位に取付けられた重錘でもって構成しても、これに代えて若しくはこれと共に、羽根手段の形状を変えて構成しても、更には、コイルばねで構成してもよく、また、伝達手段に設けた重錘で構成してもよい。
【００２５】
【発明の実施の形態】
次に本発明及びその実施の形態を、図に示す好ましい例を参照して更に詳細に説明する。なお、本発明はこの例に何等限定されないのである。
【００２６】
図１から図８において、本例の換気ダンパ１は、入口孔２及び出口孔３を有する通路４を内部に形成したフレーム５と、Ａ及びＢ方向の回動により通路４を開閉するようにフレーム５内に回動自在に配されていると共に、羽根本体部６及び羽根本体部６の軸方向Ｘの両端に側端部７（一方のみを図示）を有している羽根手段８と、羽根手段８の側端部７のシール曲面１４が当接するシール曲面９を有していると共にフレーム５の側壁部１０に固着された弾性のシール部材１１と、羽根手段８による通路４の開閉を行わせるべく羽根手段８を強制的に回動させる回動手段１２と、羽根手段８が通路開放位置に向かって回動されるように、即ちＡ方向に回動されるように羽根手段８を付勢する付勢手段１３とを具備している。
【００２７】
フレーム５は、上記の側壁部１０と前壁部２１及び後壁部２２とを一体的に有しており、前壁部２１及び後壁部２２の夫々に軸方向Ｘに伸びる弾性を有したシール部材２３及び２４が嵌着されており、出口孔３には、防塵用の網２５が張設されており、斯かる網は、入口孔２にも防鳥を兼ねて設けてもよい。入口孔２は、室外部２６に、出口孔３は、室内部２７に夫々開口している。
【００２８】
なお、軸方向Ｘにおいて側壁部１０に対向するフレーム５の他方の側壁部には、シール部材１１と同様のシール部材が固着されている。
【００２９】
羽根手段８は、羽根本体部６及び側端部７に加えて、羽根本体部６及び側端部７に固着された軸部材３１を具備しており、軸部材３１は、滑り軸受等を介して側壁部１０にＡ及びＢ方向に回転自在に支持されている。羽根手段８は、フレーム５の他方の側壁部側にも、側端部７及び軸部材３１と同様の側端部及び軸部材を具備しており、この軸部材は、他方の側壁部にＡ及びＢ方向に回転自在に支持されている。他方の側壁部側における羽根手段８と当該他方の側壁部に固着されたシール部材との関係は、側壁部１０側におけるそれと同様であるので、以下説明を省略する。
【００３０】
一体成形された羽根本体部６は、回転軸心Ｘが通る中空の円筒状の軸部３５と、軸部３５から径方向に一体的に伸びた一対の中空の羽根部３６及び３７とを具備しており、羽根部３６及び３７の径方向の先端部３８及び３９は、入口孔２から出口孔３に向かう通路４を通過する空気流４０により通路閉塞位置に向かう回転モーメント、即ちＢ方向の回転モーメントを羽根手段８に生じさせるように湾曲している。
【００３１】
先端部３８及び３９の夫々は、羽根手段８がＢ方向に回転されると、シール部材２３及び２４の夫々に当接して、シール部材２３及び２４を弾性変形させるようになっている。
【００３２】
先端部３８及びその近傍での羽根部３６の一方の面４１は、凸面となるように湾曲しており、その他方の面４２は、面４１に相補的な凹面となるように湾曲しており、同じく、先端部３９及びその近傍での羽根部３７の一方の面４３は、凸面となるように湾曲しており、その他方の面４４は、面４３に相補的な凹面となるように湾曲している。斯かる先端部３８及び３９並びにその近傍での羽根部３６及び３７の湾曲形状は、羽根手段８による通路４の開放状態（図１に示す位置）で通路４に空気流４０が生じる際に、羽根部３６には前壁部２１に向かう揚力を、羽根部３７には後壁部２２に向かう揚力を夫々生じさせ、この揚力に基づく回転モーメントで羽根手段８を通路閉塞位置に向かわせるように回転させることになる。
【００３３】
側端部７は、ねじ５１等により羽根本体部６の軸方向Ｘの端面に固着された側端部材５２と、側端部材５２に同じくねじ５１等により固着された半円形状の側端補助部材５３とを具備している。なお、側端部７は、斯かる別体の側端部材５２と側端補助部材５３とで構成する代わりに、一体的に形成してもよく、また、軸部材３１と側端補助部材５３とを一体的に形成（一体成形）してもよく、更には、軸部材３１、側端部材５２及び側端補助部材５３を一体的に形成してもよく、加えて、側端部７と羽根本体部６とを一体的に形成してもよい。
【００３４】
側端部材５２は、軸部３５に対応する中央部５５と、羽根部３６に対応すると共に、中央部５５から一体的に径方向に伸びた一方の羽根側端部５６と、羽根部３７に対応すると共に、中央部５５から一体的に羽根側端部５６とは逆方向の径方向に伸びた他方の羽根側端部５７と、中央部５５及び羽根側端部５６に一体的に形成された膨大部５８とを具備していると共に、中央部５５、羽根側端部５６及び膨大部５８のシール部材１１に対面する外縁にシール曲面９に当接するシール曲面６１を有しており、他方の羽根側端部５７のシール部材１１に対面する外縁にシール部材１１の他のシール曲面６２に当接するシール曲面６３を有しており、シール曲面６１は、羽根手段８の開放回転方向Ａにおいて、即ち、中央部５５に対する羽根側端部５７の一方の付け根位置６４から羽根側端部５６と膨大部５８との交差位置６５までは、徐々に回転軸心Ｘからの距離Ｄが長くなるように形成されており、交差位置６５から羽根側端部５６の先端位置６６までは羽根部３６の面４１と面一になるように形成されている。シール曲面６３は、面４３を含む羽根部３７の面と面一になるように形成されている。
【００３５】
側端補助部としての側端補助部材５３は、シール部材１１に対面する外縁にシール曲面９に当接するシール曲面７１を有しており、シール曲面７１は、羽根手段８の開放回転方向Ａにおいて、即ち、軸部３５に対する羽根部３７の一方の付け根に対応する位置７２（中央部５５に対する羽根側端部５７の他方の付け根位置７３に相当）から後述の切欠き７４の、回転方向の長さを少なくとも越える位置、本例では十分に越えた位置７５までは、徐々に回転軸心Ｘからの距離Ｄが長くなってしかもシール曲面６１と面一になるように形成されており、位置７５から終端位置７６までは位置７５での回転軸心Ｘからの距離Ｄを曲率半径とした円弧状に形成されている。
【００３６】
このように本例では、シール曲面１４は、シール曲面６１とシール曲面７１とを含んで構成されている。
【００３７】
一体形成されたシール部材１１は、一対のシール片部８１及び８２を具備しており、シール曲面９を有したシール片部８１は、シール部材１１に対する羽根手段８の回転軸心Ｘを中心とした回転を許容するように羽根側端部５７が通って伸長する切欠き７４に加えて、側端補助部材５３の平坦端面７７が当接する端面７８を有した突部８３と、溝８４とを有しており、シール曲面９は、シール片部８１の端面８５で一端が終端されていると共に、突部８３及び切欠き７４に沿って伸び、溝８４によって他端が終端されているシール曲面部８６と、切欠き７４によって一端が終端されていると共に、溝８４に隣接して当該溝８４に沿って伸びたシール曲面部８７とを具備しており、シール曲面部８６は、位置７２から位置７５までのシール曲面７１と相補的な形状を有していると共に、シール曲面７１に当接するようになっており、シール曲面部８７は、シール曲面６１と相補的な形状を有していると共に、シール曲面６１に当接するようになっている。
【００３８】
羽根手段８が通路４を完全開放した状態でシール部材１１に弾性変形が生じないとした場合において、位置７２から位置７５までのシール曲面７１の各部位での回転軸心Ｘからの距離Ｄは、シール部材１１の対応位置でのシール曲面部８６の回転軸心Ｘからの距離よりも長く、同じく位置６４から位置７５までのシール曲面６１の各部位での回転軸心Ｘからの距離Ｄは、シール部材１１の対応位置でのシール曲面部８７の回転軸心Ｘからの距離よりも長くなっている。なお、本例では位置７５から位置６５までのシール曲面６１は、ほぼ平坦面になっているが、全体としては曲面になっている。
【００３９】
側端部７に形成されたシール曲面６１及び７１は、後述するように、通路４に対する閉鎖回転位置から部分開放回転位置までの羽根手段８の回転領域では、シール部材１１のシール曲面部８６及び８７に当接し、当該シール部材１１に弾性変形を生じさせるようになっており（図１１の斜線部参照）、通路４に対する部分開放回転位置から全開放回転位置までの羽根手段８の回転領域では、シール部材１１のシール曲面部８６及び８７から非接触となるようになっている（図１、図４及び図５参照）。
【００４０】
回動手段１２は、回動力発生手段としての可逆電動モータ９１と、可逆電動モータ９１により発生された回動力を羽根手段８に伝達する伝達手段９２とを具備している。可逆電動モータ９１は、フレーム５に連接された基台９３に取付けられており、伝達手段９２は、基台９３に取付けられて、可逆電動モータ９１の出力回転軸の回転を減速する減速歯車機構９４と、減速歯車機構９４の出力軸に連結されており、基台９３に軸受９５を介して回転自在に支持された回転自在軸９６と、回転自在軸９６に固着された円盤状の回転自在部材９７と、回転自在部材９７に形成された一対の円弧スリット９８及び９９の夫々に、夫々の一端が羽根手段８の回転方向に関して遊びをもって係合したピン１００及び１０１と、ピン１００及び１０１の夫々の他端が固着されていると共に、側壁部１０から外部に突出した軸部材３１に固着された円板部材１０２とを具備している。円弧スリット９８及び９９は、軸対称に回転自在部材９７に形成されており、ピン１００及び１０１もまた、軸対称に円板部材１０２に植設されている。
【００４１】
回動手段１２は、可逆電動モータ９１の作動により減速歯車機構９４、回転自在軸９６を介して回転自在部材９７を回転させ、回転自在部材９７の回転で、円弧スリット９８及び９９の夫々に、夫々の一端が係合する円柱状のピン１００及び１０１を介して円板部材１０２を回転させて、これにより通路４を開閉するように羽根手段８をＡ及びＢ方向に回動させるようになっている。そして、伝達手段９２は、円弧スリット９８及び９９とピン１００及び１０１との係合により、羽根手段８が通路開放位置（図１に示す位置）に回動された際に、通路閉塞位置に向かう羽根手段８の自由回動を許容するようになっている。
【００４２】
付勢手段１３は、軸部材３１に植設されたねじピン１１１と、ねじピン１１１に必要個数螺着された重錘１１２とを具備しており、羽根手段８が通路閉塞位置に配された際に、重錘１１２の荷重により軸部材３１を回転させて羽根手段８を通路開放位置に向かってＡ方向に回動させるようになっており、而して、斯かる付勢手段１３により羽根手段８は、通路開放位置に向かって回動されるように常時付勢されている。
【００４３】
換気ダンパ１は、羽根手段８が通路４を閉塞した状態（図１１に示す位置）から通路４を開放した状態（図１に示す位置）までの当該羽根手段８の位置、例えば回転自在部材９７の回転位置を夫々検出する検出器（図示せず）を更に具備しており、可逆電動モータ９１は、これら検出器からの検出信号に基づいて、その作動が制御されて羽根手段８による通路４の開度を所定の値にするようになっている。
【００４４】
以上の換気ダンパ１では、図１に示す通路４の全開位置で、可逆電動モータ９１が作動されてその出力回転軸が正転されると、回転自在部材９７が図９に示すようにＢ方向に回転されて、これにより円弧スリット９８及び９９の夫々とピン１００及び１０１の夫々との係合を介して軸部材３１が同じくＢ方向に回転される結果、羽根手段８は同方向に回動されて図１０に示す状態を介して図１１に示すように通路４を閉塞する状態に回動される。
【００４５】
換気ダンパ１では、通路４の全開位置から全閉位置までの羽根手段８のＢ方向の回動において、通路４の全開位置からＢ方向に例えば角度３５゜程度羽根手段８が回動されるまでは、シール曲面７１とシール曲面部８６との間及びシール曲面６１とシール曲面部８７との間の夫々には隙間が維持され、角度３５゜程度以上更に羽根手段８がＢ方向に回動され始めると、シール曲面７１がシール曲面部８６にその先導端から徐々に当接し始め、切欠き７４が配された角度範囲を越えてシール曲面７１がシール曲面部８６に当接した後に、斯かる当接が維持されつつ、次に、シール曲面６１がシール曲面部８７にその先導端から徐々に当接し始め、最後に羽根手段８が角度４５゜程度回動されると、シール曲面７１とシール曲面部８６との当接に加えて、図１１に示すようにシール曲面６１の全てがシール曲面部８７に当接すると共に、シール曲面６３の全てがシール曲面６２に当接し、しかも、シール曲面７１、シール曲面６１及びシール曲面６３によりシール部材１１をシール曲面部８６、シール曲面部８７、シール曲面６２の部位で弾性変形させて、これらの当接をぴったりと行わせる。
【００４６】
なお、通路４の全閉位置では羽根手段８の先端部３８及び３９の夫々がシール部材２３及び２４の夫々に当接して、シール部材２３及び２４を弾性変形させていると共に、側端補助部材５３の平坦端面７７が端面７８に密に当接して当該端面７８を弾性変形させている。以上の状態では、通路４を介しての空気の流通は羽根手段８により阻止されることになる。
【００４７】
図１１に示す羽根手段８の回転状態から、可逆電動モータ９１が作動されてその出力回転軸が逆転されると、回転自在部材９７が図９に示す状態から図８に示すようにＡ方向に回転されて、これにより円弧スリット９８及び９９の夫々とピン１００及び１０１の夫々との係合を介して軸部材３１が同じくＡ方向に回転される結果、羽根手段８は同方向に回動されて図１０に示す状態を介して図１に示すように通路４を開放する状態に回動される。この状態では、室外部２６及び室内部２７の空気は、通路４を介して互いに流通されることになる。
【００４８】
通路４の全閉位置から全開位置までの羽根手段８のＡ方向の回動において、換気ダンパ１では、通路４の全閉位置からＡ方向に角度１０゜程度羽根手段８が回動されるまでは、シール曲面１４がシール曲面９に当接しているために、可逆電動モータ９１により羽根手段８は強制的にＡ方向に回動され、その後、シール曲面１４のシール曲面９への当接が解除されて、シール曲面７１とシール曲面部８６との間及びシール曲面６１とシール曲面部８７との間の夫々に隙間が生じると、円弧スリット９８及び９９により円板部材１０２のＡ方向の回転が阻止されない限り、付勢手段１３により軸部材３１にＡ方向の回動力が付与されて、羽根手段８はＡ方向に回動されて図１に示すように通路４を開放する状態に回動される。
【００４９】
また、換気ダンパ１では、通路４の全開位置からＢ方向に角度３５゜程度の羽根手段８の回動位置では、シール曲面７１とシール曲面部８６との間及びシール曲面６１とシール曲面部８７との間の夫々には隙間が形成されて、羽根手段８には付勢手段１３によりＡ方向の回動力が付与されているだけであるので、円弧スリット９８及び９９により円板部材１０２のＢ方向の回転が阻止されない限り、通路風速に基づく定風量制御を行い得、したがって、室内外に大きな気圧差が生じて通路４に一定以上の流速の空気流、例えば３ｍ／ｓｅｃ以上の空気流４０が生じる際に、Ｂ方向の回転モーメントが羽根手段８に生じ、これにより羽根手段８は、通路閉塞位置に向かう方向に回動されて、而して、強風等により通路を介して室内に対して必要以上に空気が導出入されて、室内に不快な空気流が生じることをなくし得ると共に、室外の塵埃を室内に持ち込むようなことをなくすことができ、しかも、室内の空気が必要以上に換気されて空調効果が低下するような不都合をなくし得て、これを補うための空調電力の増大を防ぐことができる。
【００５０】
更に換気ダンパ１においては、羽根手段８のシール曲面１４の回転軸心Ｘからの距離Ｄが羽根手段８の開放回転方向Ａにおいて徐々に長くなっており、シール部材１１のシール曲面９が羽根手段８のシール曲面１４と相補的な形状を有しているために、羽根手段８の通路４の閉鎖方向への回転では、シール曲面１４がシール曲面９に徐々に接近して最後には当接するようになるために、この当接により羽根手段８の側端部７での通路閉塞を完全に行うことができる上に、当接前には羽根手段８の回動を極めて軽く行わせることができ、而して、騒音等の発生を極力少なくでき、しかも、羽根手段８の回動において省エネルギ化を図ることができる。
【００５１】
換気ダンパ１においては、羽根手段８若しくはフレーム５の熱膨張又はそれらの多少の変形、変位でも、通路開閉のための羽根手段８の回動を滑らかに行い得て、騒音等が生じたりする虞がない。
【００５２】
加えて、換気ダンパ１においては、羽根手段８の通路４の閉鎖方向への回転の最後で、羽根手段８の側端部７に形成されたシール曲面６１及び７１をシール部材１１のシール曲面９に押し付けることができるために、この押し付けにより羽根手段８の側端部で７の通路閉塞をより完全に行うことができ、また、部分開放回転位置から全開放回転位置までの羽根手段８の回転領域で羽根手段８のシール曲面１４とシール部材１１のシール曲面９とを互いに非接触としているために、羽根手段８の回動力を小さくできて省エネルギ化を図ることができる上に、この回転領域を定風量回転領域とできる。
【００５３】
しかも、換気ダンパ１においては、閉鎖回転位置から部分開放回転位置までの羽根手段８の回転領域で羽根手段８のシール曲面１４とシール部材１１のシール曲面９とを互いに当接させるために、通路閉塞を完全に行うことができ、その上、閉鎖回転位置から部分開放回転位置までにおいてシール部材１１に弾性変形を生じさせるために、通路閉塞をより完全に行うことができ、羽根手段８のシール曲面１４が側端補助部材５３の外縁にも設けられているために、羽根側端部５７が伸長する切欠き７４の部位においても、羽根手段８のシール曲面１４とシール部材１１のシール曲面９とを互いに当接させることができるために、通路閉塞において羽根側端部５７の周りにおける隙間をなくし得、より完全な通路閉塞を達成できる。
【００５４】
また、換気ダンパ１においては、回動手段１２により羽根手段８を強制的に回動できる上に、羽根手段８が通路開放位置に回動された際に、通路閉塞位置に向かう羽根手段８の自由回動を許容するようになっているために、通路の強制開閉を行い得る上に、通路風速に基づく定風量制御をも行い得、通路開放位置に向かう羽根手段８の回動付勢を付勢手段１３により行うために、付勢手段１３の付勢力を適宜設定することにより、空気流を利用する自然な通路閉塞、即ち定風量制御を確実に行うことができる。
【００５５】
なお、換気ダンパ１では、電動により羽根手段８を回動させると共に、通路４を傾斜させ、そして入口孔２及び出口孔３を夫々水平方向及び垂直方向に開口させたが、本発明はこれらに限定されず、例えば、手動で羽根手段８を回動させるようにし、また、通路４を水平に伸びるようにしてもよく、更に、出口孔３を水平方向に開口させてもよい。
【００５６】
また、上記の例では閉塞された円弧スリット９８及び９９の夫々をピン１００及び１０１の夫々に係合させて、円板部材１０２を回転させたが、これに代えて、図１２に示すように、回転自在部材９７に、開放された円弧スリット（円弧切欠き）１２１及び１２２を形成して、円弧スリット１２１及び１２２の夫々をピン１００及び１０１の夫々に係合させて、円板部材１０２を回転させるようにしてもよい。
【００５７】
更に換気ダンパ１では、定風量制御を行わせるために、円弧スリット９８及び９９又は１２１及び１２２を具備した回転自在部材９７及び円弧スリット９８及び９９又は１２１及び１２２に係合するピン１００及び１０１等を設けたが、定風量制御を行わせない場合には、回転自在軸９６を軸部材３１に直結してもよい。
【００５８】
【発明の効果】
本発明によれば、通路閉塞を完全に行うことができ、しかも、羽根手段の回動を軽く行わせることができて、騒音等が生じたりする虞をなくし得ると共に、羽根手段の回動において省エネルギ化を図ることができる換気ダンパを提供することができる。
【図面の簡単な説明】
【図１】本発明の好ましい実施の形態の例の通路開放状態の縦断面図である。
【図２】図１に示す例の通路開放状態の一部横断面説明図である。
【図３】図１に示す例の一部の分解斜視図である。
【図４】図１に示す例の羽根本体部を省いた縦断面図である。
【図５】図１に示す例の羽根本体部及び側端部材を省いた縦断面図である。
【図６】図１に示す例の回動手段の正面図である。
【図７】図６に示すＶＩＩ−ＶＩＩ線矢視断面図である。
【図８】図６に示すＶＩＩＩ−ＶＩＩＩ線矢視断面図である。
【図９】図６に示す回動手段の動作説明図である。
【図１０】図１に示す例の動作説明図である。
【図１１】図１に示す例の動作説明図である。
【図１２】本発明の好ましい実施の形態の他の例の説明図である。
【符号の説明】
１  換気ダンパ
２  入口孔
３  出口孔
４  通路
５  フレーム
６  羽根本体部
７  側端部
８  羽根手段
９  シール曲面
１０  側壁部
１１  シール部材
【図１】
0004655391.tif 000002
【図２】
0004655391.tif 000003
【図３】
0004655391.tif 000004
【図４】
0004655391.tif 000005
【図５】
0004655391.tif 000006
【図６】
0004655391.tif 000007
【図７】
0004655391.tif 000008
【図８】
0004655391.tif 000009
【図９】
0004655391.tif 000010
【図１０】
0004655391.tif 000011
【図１１】
0004655391.tif 000012
【図１２】
0004655391.tif 000013